(57)【特許請求の範囲】
【請求項１】
ユーザが知人に送信したメールに基づき当該ユーザが利用した店舗の一覧表である店舗一覧表を生成するネットワークシステムであって、
前記ユーザに用いられるユーザ端末装置と店舗一覧表生成サーバとがネットワークを介して通信可能に接続されて構成され、
前記ユーザ端末装置は、
前記ユーザが店舗を利用した際にメール送受信機能によって少なくとも当該店舗に関する店舗情報を含むメールを送信した場合に、前記ユーザによる特定のキー操作に基づく前記店舗情報の抽出指示を受け付ける抽出指示受付手段と、
前記抽出指示を受け付けることを条件に、前記メールから前記店舗情報を抽出する店舗情報抽出手段と、
前記店舗情報抽出手段が抽出した前記店舗情報を前記ネットワークを介して前記店舗一覧表生成サーバに送信するデータ送信手段と、を有し、
前記店舗一覧表生成サーバは、
前記店舗情報を受信するデータ受信手段と、
受信した前記店舗情報に対応する店舗の特徴を示す店舗データが、複数の店舗についての店舗データを記憶する店舗データベースに存在するか否かを判定する店舗データ検索手段と、
前記店舗データ検索手段が前記店舗データベースに存在すると判定することを条件に、受信した前記店舗情報に応じて前記店舗の特徴を示す店舗情報を店舗データベースから抽出するデータ抽出手段と、
前記店舗データに応じて前記ユーザが利用した店舗の一覧表を生成する店舗一覧表生成手段と、を有する、
ことを特徴とするネットワークシステム。
【請求項２】
前記店舗一覧表生成サーバは、前記店舗一覧表を前記ユーザ端末装置に送信する一覧表送信手段を有し、
前記ユーザ端末装置は、当該店舗一覧表を受信して表示する一覧表受信手段を有することを特徴とする請求項１記載のネットワークシステム。
【請求項３】
前記店舗一覧表生成サーバの前記店舗情報抽出手段は、店舗の利用日時と前記メールに記載された店舗名とを前記店舗情報として抽出するようにしたことを特徴とする請求項１又は２記載のネットワークシステム。
【請求項４】
前記店舗一覧表には、少なくとも前記店舗の利用日時、前記店舗名、前記店舗の写真、及び前記店舗のＵＲＬが掲載されていることを特徴とする請求項３記載のネットワークシステム。
【請求項５】
前記店舗一覧表生成サーバの前記店舗一覧表生成手段は、新たな店舗情報を受ける都度前記店舗一覧表を更新するようにしたことを特徴とする請求項１から４いずれか１項記載のネットワークシステム。
【発明の詳細な説明】
【技術分野】
【０００１】
本発明は、ユーザ端末装置から、ユーザが利用した店舗に関する店舗情報を受け、この店舗情報に応じて利用店舗一覧を生成してユーザ端末装置に送信する店舗一覧表生成サーバ及びこのユーザ端末及び店舗一覧表生成サーバを備えるネットワークシステムに関するものである。
【背景技術】
【０００２】
一般に、パソコン又は携帯電話機などのユーザ端末装置にはメール送受信機能を有しており、ユーザ端末装置から種々メールが、家族、友人などに送られることがある。このようなメールには、ユーザの行動を知らせるメールがあり、例えば、ユーザが行った店舗に関してメールを送信することがある。
【０００３】
ユーザが送信したメールは、ユーザユーザ端末装置に蓄積されることになるが、メールの種類に応じてメールを分類できればユーザにとって極めて便利である。例えば、ユーザが行った（利用した）店舗に関する店舗情報の一覧を、ユーザが送信したメールに基づいて生成できれば、ユーザにとって、利用した店舗に関する情報を一目で把握することができ、極めて便利である。
【０００４】
一方、店舗情報をユーザ会員に送信する際に、地図データと対応付けて店舗情報をユーザ会員に送信するようにした手法が知られており、ここでは、サーバが、利用期間内に限り販促情報が存在する店舗と販促情報が存在しない店舗を識別して、地図データ上に表示して、販促情報受信有のユーザ会員のＰＣ又は携帯端末の電子メールアドレスに対して、店舗の販促情報を利用期間内に限り一定期間ごとに配信するようにしている（特許文献１参照）。
【特許文献１】特願２０００−３３２８６２号公報
【発明の開示】
【発明が解決しようとする課題】
【０００５】
ところで、特許文献１においては、予め登録されたユーザ会員に対して利用期限内に、地図データに対応付けて店舗情報を送っているが、ユーザが利用した店舗に関する情報のみを一覧として送信することは行っていない。
【０００６】
また、ユーザが利用した店舗を、ユーザ自身が分類してその一覧を作成することは極めて面倒であり、ユーザの手を煩わせることなく、このような一覧を生成して表示することができれば、ユーザにとって極めて便利である。
【０００７】
いずれにしても、従来ユーザが利用した店舗の一覧をユーザが送信したメールに基づいた生成することができず、利用店舗の一覧を生成しようとすれば、ユーザに大きな負担が掛かるという課題がある。
【０００８】
本発明は、ユーザに負担を掛けることなく、ユーザが送信したメールからその利用店舗一覧を容易に生成することのできる店舗一覧表生成サーバ及びネットワークシステムを提供することを目的とする。
【課題を解決するための手段】
【０００９】
（１）  本発明は、ユーザ端末装置から送信された店舗情報に応じて店舗一覧表を生成する店舗一覧表生成サーバであって、前記ユーザ端末装置には、ユーザが店舗を利用した際にメール送受信機能によって少なくとも当該店舗に関する店舗情報を含むメールを送信した場合に、該メールから前記店舗情報を抽出する店舗情報抽出手段と、前記店舗情報をネットワークを介して送信するデータ送信手段とが備えられており、前記店舗情報を受信するデータ受信手段と、前記店舗情報に応じて前記店舗の特徴を示す店舗データを店舗データベースから抽出するデータ抽出手段と、前記店舗データに応じて前記ユーザが利用した店舗の一覧表を生成する店舗一覧表生成手段とを有することを特徴とするものである。
【００１０】
（１）に記載の店舗一覧表生成サーバでは、ユーザ端末装置によって、ユーザが店舗を利用した際に少なくとも当該店舗に関する店舗情報を含むメールを送信すると、このメールから抽出された店舗情報を、ネットワークを介して受けて、店舗情報に応じて店舗の特徴を示す店舗データを店舗データベースから抽出し、店舗データに応じてユーザが利用した店舗の一覧表を生成するようにしたので、ユーザを煩わせることなく、しかもユーザに負担を掛けることなく、容易にユーザが利用した店舗の一覧表を生成することができることになる。
【００１１】
（２）  本発明は、（１）に記載の店舗一覧表生成サーバにおいて、前記店舗一覧表を前記ユーザ端末装置に送信する一覧表送信手段を有し、前記ユーザ端末装置には当該店舗一覧表を受信して表示する一覧表受信手段が備えられていることを特徴とするものである。
【００１２】
（２）に記載の店舗一覧表生成サーバでは、店舗一覧表をユーザ端末装置に送信して、ユーザ端末装置に当該店舗一覧表を表示するようにしたので、ユーザは容易に自分自身が利用した店舗の一覧表を閲覧することができる。
【００１３】
（３）  本発明は、（１）又は（２）に記載の店舗一覧表生成サーバにおいて、前記店舗情報抽出手段は、店舗の利用日時と前記メールに記載された店舗名とを前記店舗情報として抽出するようにしたことを特徴とするものである。
【００１４】
（３）に記載の店舗一覧表生成サーバでは、前記店舗情報抽出手段は、店舗の利用日時と前記メールに記載された店舗名とを前記店舗情報として抽出するようにしたので、店舗一覧表に店舗の利用日時を掲載することができる。
【００１５】
（４）  本発明は、（３）に記載の店舗一覧表生成サーバにおいて、前記店舗一覧表には、少なくとも店舗の利用日時、前記店舗名、前記店舗の写真、及び前記店舗のＵＲＬが掲載されていることを特徴とするものである。
【００１６】
（４）に記載の店舗一覧表生成サーバでは、店舗一覧表に、少なくとも店舗の利用日時、店舗名、店舗の写真、及び店舗のＵＲＬが掲載されるので、ユーザは自分自身が利用した店舗の特徴を把握できるばかりでなく、そのＵＲＬを用いて店舗のホームページに容易にアクセスすることができる。
【００１７】
（５）  本発明は、（１）から（４）のいずれかに記載の店舗一覧表生成サーバにおいて、前記店舗一覧表生成手段は、新たな店舗情報を受ける都度前記店舗一覧表を更新するようにしたことを特徴とするものである。
【００１８】
（５）に記載の店舗一覧表生成サーバでは、新たな店舗情報上を受ける都度、店舗一覧表を更新するようにしたので、ユーザは常に最新の店舗一覧表を閲覧することができることになる。
【００１９】
（６）  本発明は、複数のユーザ端末装置と上記の（１）から（５）のいずれかに記載の店舗一覧表生成サーバがネットワークを介して接続され、前記ユーザ端末装置の各々には、ユーザが店舗を利用した際にメール送受信機能によって少なくとも当該店舗に関する店舗情報を含むメールを送信した場合に、該メールから前記店舗情報を抽出する店舗情報抽出手段と、前記店舗情報を、ネットワークを介して送信するデータ送信手段とが備えられていることを特徴とするネットワークシステムである。
【００２０】
（６）に記載のネットワークシステムでは、ユーザ端末装置によって、ユーザが店舗を利用した際に少なくとも当該店舗に関する店舗情報を含むメールを送信すると、店舗一覧表生成サーバがこのメールから抽出された店舗情報を、ネットワークを介して受けて、ユーザが利用した店舗の一覧表を生成するようにしたので、ユーザを煩わせることなく、しかもユーザに負担を掛けることなく、容易にユーザが利用した店舗の一覧表を生成することができる。
【発明の効果】
【００２１】
以上のように、本発明によれば、ユーザ端末装置によって、ユーザが店舗を利用した際に少なくとも当該店舗に関する店舗情報を含むメールを送信すると、このメールから抽出された店舗情報を、店舗一覧表生成サーバがネットワークを介して受けて、店舗情報に応じて店舗の特徴を示す店舗データを店舗データベースから抽出し、店舗データに応じてユーザが利用した店舗の一覧表を生成するようにしたから、ユーザに負担を掛けることなく、容易にユーザが利用した店舗の一覧表を生成することができるという効果がある。
【発明を実施するための最良の形態】
【００２２】
以下、本発明の実施形態によるユーザ端末装置及び店舗一覧表生成サーバを有するネットワークシステムの一例について説明する。
【００２３】
図１を参照すると、店舗一覧表生成サーバ１０は、インターネットなどネットワーク１１に接続され、このネットワーク１１には、複数のパソコン（ＰＣ）１２−１〜１２−Ｍ（Ｍは２以上の整数）が接続され、さらに、携帯電話通信システム１３を介して複数の携帯電話機１４−１〜１４−Ｎ（Ｎは２以上の整数）が接続されている。以下、これらＰＣ１２−１〜１２−Ｍ及び携帯電話機１４−１〜１４−Ｎをユーザ端末装置と総称することがある。なお、ユーザ端末装置としては、ＰＣ及び携帯電話機の他に、通信機能を有する種々の端末を用いることができる。
【００２４】
店舗一覧表生成サーバ１０は、例えば、多数の事業者（各種店舗など）から依頼を受けて当該事業者らに関して種々のウェブサイトを運営する運営会社（ウェブサイト運営会社）に設置されているコンピュータシステムであり、この店舗一覧表生成サーバ１０には、店舗に関する店舗データが登録された店舗データベース（店舗ＤＢ）１５が接続されている（なお、店舗一覧表生成サーバ１０は、ウェブサイト運営会社に設置しなくてもよく、種々の運用形態が考えられる）。
【００２５】
なお、店舗データには、店舗コードに対応付けて、少なくとも店舗名、店舗所在地、店舗の写真、及び店舗のＵＲＬが店舗データとして含まれているものとする。また、ユーザはウェブサイト運営会社に会員登録しており、この会員登録によって店舗一覧表生成サーバ１０を利用することができる。
【００２６】
図２を参照すると、ユーザ端末装置は、メール送受信部１６ａ、メール日時抽出部１６ｂ、店舗名抽出部１６ｃ、日時・店舗名結合部１６ｄ、及びデータ送受信部１６ｅを有しており、店舗一覧表生成サーバ１０は、データ送受信部１０ａ、店舗データ検索部１０ｂ、店舗データ抽出部１０ｃ、及び一覧表生成部１０ｄを有している。
【００２７】
続いて、図３を参照して、いま、会員登録しているユーザがＰＣ１２−１を用いて、友人にメールしたとする。このメールは、例えば、図４に示されているように、居酒屋ＡＢＣに行ったことを伝えるメールであったとする（メール本文には店舗を利用する送信日時が表示されている）。このメールはメール送受信部１６ａによって、友人が使用するユーザ端末装置（例えば、携帯電話機１４−１）に送信される。
【００２８】
このように、店舗（ここでは、居酒屋ＡＢＣ）を利用したことを知らせるようなメールを送信した際、ユーザがこの店舗を利用店舗一覧表に加えたいと思った際には、例えば、ユーザ端末装置に備えられた特定のキー（一覧表生成キー：図示せず）を押圧する（ステップＳ１）。これによって、ユーザ端末装置では、メール日時抽出部１６ｂが当該メールに記載された日時（図４に示す例では、２００７年１２月２９日）を抽出する（ステップＳ２）。この日時の抽出は、「日時」という名詞の後の（２００７年１２月２９日）の文字を抽出する態様であってもよいし、「日時」という記載がメール本文にない場合には、メールの送信時間を日時としてもよい。後者の場合には、メールの送信日時と店舗の利用日時に時間差があるため、メールの送信日時の場合には、店舗一覧表の日時に、メール送信時間を示す表示を付加する態様であってもよい。
【００２９】
続いて、店舗名抽出部１６ｃは、メール本文を走査し、メール本文中にある店舗名を抽出する（ステップＳ３）。店舗名の抽出は、メール本文中の「場所」という単語を抽出して、「場所」の単語の後の、名詞を抽出して、店舗名とする態様であってもよいし、メール本文中に「場所」という記載がない場合には、「へ行きました」、「で集合」等の定型文を抽出して、この定型文の前の名詞を抽出する態様であってもよい。なお、メール本文に店舗所在地が記載されている場合には、店舗所在地も抽出することが望ましい。チェーン店の支店等を識別するためである。
【００３０】
日時・店舗名結合部１６ｄでは、上述のようにして抽出された日時及び店舗名を結合して、店舗情報とする（ステップＳ４）。なお、店舗所在地が抽出された際には、日時・店舗名結合部１６ｄは店舗情報に店舗所在地を含める。
【００３１】
そして、データ送受信部１６ｅは、この店舗情報を送信データとしてネットワーク１１を介して店舗一覧表生成サーバ１０に送信する（ステップＳ５：この送信データには、当然のことながらユーザ端末のメールアドレスが含まれている）。
【００３２】
店舗一覧表生成サーバ１０では、データ送受信部１０ａによってユーザ端末装置からの送信データを受信する（ステップＳ６）。そして、この送信データを店舗データ検索部１０ｂに与える。店舗データ検索部１０ｂでは、送信データ中の店舗名（及び所在地）に応じて店舗ＤＢ１５を検索して当該店舗名（及び所在地）に一致する店舗名（及び所在地）が店舗ＤＢ１５に存在するか否かを調べる（ステップＳ７）。
【００３３】
一致する店舗名（及び所在地）が存在すると、店舗データ検索部１０ｂは当該店舗名（及び所在地）の店舗コードを読み出して（ステップＳ８）、この店舗コードを店舗データ抽出部１０ｃに与える。一方、一致する店舗名（及び所在地）が店舗ＤＢ１５に存在しないと、店舗データ検索部１０ｂはその旨データ送受信部１０ａによってユーザ端末装置に連絡（店舗のデータが存在しない旨のデータを送信する）する（ステップＳ９）。
【００３４】
店舗コードを受けると、店舗データ抽出部１０ｃは店舗コードに対応する店舗データを店舗ＤＢ１５から読み出す（ステップＳ１０）。例えば、店舗データとして店舗名、店舗写真、及び店舗ＵＲＬを店舗ＤＢ１５から読み出す。そして、この店舗データを一覧表生成部１０ｄに与える。
【００３５】
一覧表生成部１０ｄには、ユーザ会員毎（例えば、ユーザのメールアドレス（ユーザコード）毎）に、店舗一覧表が蓄積された一覧表ＤＢ１７が接続されている。この一覧表ＤＢ１７には新規に店舗一覧表を生成した際には、その店舗一覧表が登録され、店舗一覧表に新たに店舗データを追加した際には、その店舗一覧表が更新される。
【００３６】
一覧表生成部１０ｄは、ユーザコードに応じて一覧表ＤＢ１７を検索して、当該ユーザコードに対応する店舗一覧表が存在するか否かを調べる（ステップＳ１１）。そして、店舗一覧表が存在すると、一覧表生成部１０ｄは、店舗データをこの店舗一覧表に追加して一覧表ＤＢ１７を更新する（ステップＳ１２）。
【００３７】
一方、店舗一覧表が存在しないと、一覧表生成部１０ｄは、新たに店舗一覧表を生成し、この店舗一覧表をユーザコードに対応付けて一覧表ＤＢ１７に登録する（ステップＳ１３）。
【００３８】
さらに、一覧表生成部１０ｄは、このようにして更新した店舗一覧表又は新たに生成した店舗一覧表をデータ送受信部１０ａによって、ユーザ端末装置に送信する（ステップＳ１４）。これによって、ユーザ端末装置の画面上には、図５に示すように、店舗一覧表が表示される。
【００３９】
上述の説明では、メール送信、受信があったことを契機に、ユーザからキー押圧操作（ステップＳ１）があったことに応じて、店舗一覧表の作成が行われる態様について説明したが、店舗一覧表の作成は、メール送信、受信があってから、何日か何ヶ月か経た後に、ユーザからの押圧操作を受付けて、実行される態様であってもよい。この場合には、ユーザ端末装置のメーラーに蓄積された個々のメールを、それぞれ走査して、店舗情報が記載されているメールを抽出する。すなわち、例えば、メールの件名に「忘年会」、「新年会」等の言葉がある場合には、店舗が記載されているメールであると判断して、これらのメールを抽出する。そして、ステップＳ２以降の処理が、抽出した個々のメールに対して行われる態様であってもよい。この場合には、ユーザは、定期的に店舗一覧表を作成し、更新できるため、自分が利用した店舗を期間ごとに確認するためには、有用である。
【００４０】
図５に示す例は、新規に店舗一覧表を生成した例であり、当該店舗の利用日時、メールの件名、店舗名（ここでは、居酒屋ＡＢＣ）、店舗写真、及び店舗ＵＲＬが掲載されている。
【００４１】
このようにして、ユーザが家族又は友人・知人などに利用店舗に関するメールを送信した際、ユーザ端末装置がこのメール上の利用店舗に関する情報（店舗情報）を抽出するようにしたので、ユーザが利用した店舗に関する情報を自動的に取得することができる。
【００４２】
そして、この店舗情報を一覧表生成サーバ１０に送り、店舗ＤＢ１５中の店舗データに基づいて店舗一覧表を作成して、ユーザ端末装置に表示するようにしたので、ユーザにまったく負担が掛かることなく、ユーザは所望の利用店舗一覧表を取得することができる。
【００４３】
つまり、ユーザは、自分自身が過去に利用した店舗に関する一覧表を、負担が掛かることなく利用店舗一覧を容易に取得することができる。
【００４４】
ここで、上述のような店舗一覧表生成サーバ１０及びユーザ端末装置のハードウェア構成について説明する。図６を参照すると、店舗一覧表生成サーバ１０は、制御部１０１を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００４５】
Ｉ／Ｏコントローラ１０７０には、テープドライブ１０７２、ハードディスク１０７４、光ディスクドライブ１０７６、半導体メモリ１０７８、等の記憶手段を接続することができる。
【００４６】
ＢＩＯＳ１０６０は、運営会社サーバシステム１５の起動時にＣＰＵ１０１０が実行するブートプログラムや、店舗一覧表生成サーバ１０のハードウェアに依存するプログラム等を格納する。
【００４７】
記憶部１０７を構成するハードディスク１０７４は、サーバとして機能するための各種プログラムおよび本発明の機能を実行するプログラムを記憶しており、更に必要に応じて各種データベース（例えば、店舗ＤＢ、一覧表ＤＢ）を構成可能である。
【００４８】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００４９】
店舗一覧表生成サーバ１０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、店舗一覧表生成サーバ１０にインストールされ実行されてもよい。
【００５０】
前述のプログラムは、内部または外部の記憶媒体に格納されてもよい。ここで、記憶部１０７を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続された店舗一覧表生成サーバ１０に設けたハードディスク１０７４または光ディスクライブラリ等の記憶装置を記録媒体として使用し、通信回線を介してプログラムを店舗一覧表生成サーバ１５に提供してもよい。
【００５１】
ここで、表示装置１０２２は、ユーザにデータの入力を受け付ける画面を表示したり、店舗一覧表生成サーバ１０による演算処理結果の画面を表示したりするものであり、ブラウン管表示装置（ＣＲＴ）、液晶表示装置（ＬＣＤ）等のディスプレイ装置を含む。
【００５２】
ここで、入力手段は、ユーザによる入力の受け付けを行うものであり、キーボードおよびマウス１１００等により構成してよい。
【００５３】
また、通信Ｉ／Ｆ１０４０は、店舗一覧表生成サーバ１０を専用ネットワークまたは公共ネットワークを介して端末と接続できるようにするためのネットワーク・アダプタである。通信Ｉ／Ｆ１０４０は、モデム、ケーブル・モデムおよびイーサネット（登録商標）・アダプタを含んでよい。
【００５４】
以上の例は、店舗一覧表生成サーバ１０について説明したが、コンピュータに、プログラムをインストールして、そのコンピュータをサーバ装置として動作させることにより上記で説明した機能を実現することもできる。したがって、本発明において一実施形態として説明したサーバにより実現される機能は、上述の方法を当該コンピュータにより実行することにより、あるいは、上述のプログラムを当該コンピュータに導入して実行することによっても実現可能である。
【００５５】
また、ＰＣ１２−１〜１２−Ｍも上述の店舗一覧表生成サーバ１０と同様な構成を持つ。また、携帯電話機１４−１〜１４Ｎについても同様な構成を有することが可能であり、ＰＣ及び携帯電話機等の端末装置の他に、例えば、ＰＤＡ（Ｐｅｒｓｏｎａｌ  Ｄａｔａ  Ａｓｓｉｓｔａｎｔ）を、通信機能を有する端末装置として用いるようにしてもよい。
【００５６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００５７】
【図１】本発明の実施の形態によるユーザ端末装置及び店舗一覧表生成サーバが接続されたネットワークシステムの一例を示すブロック図である。
【図２】図１に示すユーザ端末装置及び店舗一覧表生成サーバの機能構成を示すブロック図である。
【図３】図２に示すユーザ端末装置及び店舗一覧表生成サーバの動作を説明するためのフロー図である。
【図４】ユーザ端末装置から送信されるメールの一例を示す図である。
【図５】ユーザ端末装置に表示される店舗一覧表の一例を示す図である。
【図６】図１に示す店舗一覧表生成サーバ、ユーザ端末装置のハードウェア構成を示すブロック図である。
【符号の説明】
【００５８】
１０  店舗一覧表生成サーバ
１１  ネットワーク
１２−１〜１２−Ｍ  パソコン（ＰＣ）
１３  携帯電話通信システム
１４−１〜１４−Ｎ  携帯電話機
１５  店舗データベース
１６ａ  メール送受信部
１６ｂ  メール日時抽出部
１６ｃ  店舗名抽出部
１６ｄ  日時・店舗名結合部
１６ｅ  データ送受信部
１０ａ  データ送受信部
１０ｂ  舗データ検索部
１０ｃ  店舗データ抽出部
１０ｄ  一覧表生成部
１７  一覧表データベース（一覧表ＤＢ）
【図１】
0004833191.tif 000002
【図２】
0004833191.tif 000003
【図３】
0004833191.tif 000004
【図４】
0004833191.tif 000005
【図５】
0004833191.tif 000006
【図６】
0004833191.tif 000007